(57)【要約】      （修正有）【課題】どんな洋服、場所にでも対応できるよう取り外しが可能で、肩の冷や、痛みの対策として保温を必要とする部分に当てることが出来るマットサポーターを提供する。【解決手段】山型にカットした綿、羽毛などもしくは同様の保温効果のある品物に医療用磁気を組み込み柔軟性のある布で包み保温効果を出す加工。【選択図】図２
0003121251.tif 000002
【実用新案登録請求の範囲】
【請求項１】
カット綿、羽毛、もしくは同様の保温効果のある品物に医療用磁気を組み込み柔軟性のある布で包み肩にフィトする様に加工。
【考案の詳細な説明】
【技術分野】
【０００１】カット綿、羽毛、もしくは同様の保温効果のある品物に医療用磁気を組み込み柔軟性のある布で包み肌にフィトする様に加工。
【考案が解決しようとしている課題】
【０００２】４０，５０肩で肩を冷やせなく夏の暑い時期でも、重ね着しなくて良い対策。
従来のサポーターは洋服を着用した際襟元からサポーターが見える為見えない対策。
夏の暑い時期は体の締め付けがあり、痒くなってかぶれる人、温湿布薬でかぶれる人の為にかぶれを防ぐ対策をする。
【考案を解決するための手段】
【０００３】痛みで保温を必要とする部分のみに使用する。
【考案の効果】
【０００４】夏の暑い時期エアコン等で痛む部分冷やしたくない、重ね着すれば他が暑いという場合に冷やしてはいけない部分のみに使用する事で、血行が良くなり痛みの緩和に役立つ。温シップ薬でかぶれる人にもかぶれの対策になる。又取り外しが自由な為、肩といわず、腰、足他、温めたい所に安全ピン、マジックテープ等で止めて使用できる。
何よりも良いのは固定されてない為何処の位置にも工夫装着できる事。
【考案を実施するための最良の形態】
【０００５】特に４０、５０肩で悩んでいる人に肩に当ててもかさばらず、軽く、柔軟性があり汗で張り付くと言う事も無く、保温性に富み、痛い部分のみに使用。
【産業上の利用可能性】
【０００６】本考案は冷え対策に関する物で、夏の暑い時期エアコン等で痛む部分冷やしたくない、重ね着すれば他が暑い。という場合に冷やしてはいけない部分に使用する事で、痛みの緩和に役立つ。温シップ薬でかぶれる人にもかぶれの対策にもなる。特に４０５０肩で悩んでいる人に肩に当ててもかさばらず、軽く、柔軟性があり汗で張り付くと言う事も無く、痛い部分のみに使用出来る。又取り外しが自由な為、肩といわず、腰、足他、温めたい所に使用可能。
【図面の簡単な説明】
【０００７】
【図１】山型にカットした綿、もしくは同様の保温効果のある品物に医療用磁気を組み込み柔軟性のある布で包み肌にフィットする様に加工。
【図２】品物を折り曲げた状態。
【図３】洋服に安全ピン、マジックテープ等で装着する。
【図１】
0003121251.tif 000003
【図２】
0003121251.tif 000004
【図３】
0003121251.tif 000005
【手続補正書】
【提出日】平成17年9月5日(2005.9.5)
【手続補正１】
【補正対象書類名】明細書
【補正対象項目名】全文
【補正方法】変更
【補正の内容】
【考案の詳細な説明】
【技術分野】
【０００１】カット綿、羽毛、もしくは同様の保温効果のある品物に医療用磁気を組み込み柔軟性のある布で包み肌にフィトする様に加工。
【考案が解決しようとしている課題】
【０００２】４０，５０肩で肩を冷やせなく夏の暑い時期でも、重ね着しなくて良い対策。
従来のサポーターは洋服を着用した際襟元からサポーターが見える為見えない対策。
夏の暑い時期は体の締め付けがあり、痒くなってかぶれる人、温湿布薬でかぶれる人の為にかぶれを防ぐ対策をする。一箇所としなく多方面に使用出来る様にする。
【考案を解決するための手段】
【０００３】首、肩のこり、冷え、もしくは腰、腕、足、肩痛みで保温を必要とする部分のみに万能に使用したい。
【考案の効果】
【０００４】夏の暑い時期エアコン等で痛む部分冷やしたくない、重ね着すれば他が暑いという場合に冷やしてはいけない部分のみに使用する事で、血行が良くなり痛みの緩和に役立つ。温シップ薬でかぶれる人にもかぶれの対策になる。又取り外しが自由な為、肩、腰、腕、足、腹部、他、温めたい所に安全ピン、マジックテープ等で止めて使用できる。又磁気枕の代用にもなります。
【考案を実施するための最良の形態】
【０００５】取り外しを自由にし、何処にも装着する事が出来るようにする。
【産業上の利用可能性】
【０００６】本考案は冷え対策に関する物で、夏の暑い時期エアコン等で痛む部分冷やしたくない、重ね着すれば他が暑い。という場合に冷やしてはいけない部分に使用する事で、痛みの緩和に役立つ。温シップ薬でかぶれる人にもかぶれの対策にもなる。特に４０５０肩で悩んでいる人に肩に当ててもかさばらず、軽く、柔軟性があり汗で張り付くと言う事も無く、痛い部分のみに使用出来る。又取り外しが自由な為、肩、腰、足、腹部、他、必要とする場所に使用可能。時期を使用しているため磁気枕の代用にもなります。万能に使用できるためコスト面においても助かります。
【図面の簡単な説明】
【０００７】
【図１】山型にカットした綿、もしくは同様の保温効果のある品物に医療用磁気を組み込み柔軟性のある布で包み肌にフィトする様に加工。
【手続補正書】
【提出日】平成17年9月6日(2005.9.6)
【手続補正１】
【補正対象書類名】明細書
【補正対象項目名】全文
【補正方法】変更
【補正の内容】
【考案の詳細な説明】
【技術分野】
【０００１】カット綿、羽毛、もしくは同様の保温効果のある品物に磁石を組み込み柔軟性のある布で包み肌にフィトする様に加工する。
【考案が解決しようとしている課題】
【０００２】４０，５０肩で肩を冷やせなく夏の暑い時期でも、重ね着しなくて良い対策。
従来のサポーターは洋服を着用した際襟元からサポーターが見える為見えない対策。
夏の暑い時期は体の締め付けがあり、痒くなってかぶれる人、温湿布薬でかぶれる人の為にかぶれを防ぐ対策をする。一箇所としなく多方面に使用出来る様にする。
【考案を解決するための手段】
【０００３】首、肩のこり、冷え、もしくは腰、腕、足、肩痛みで保温を必要とする部分のみに使用する為、取り外しを自由に、且つ安易に取り付けられる様にする。
【考案の効果】
【０００４】夏の暑い時期エアコン等で痛む部分冷やしたくない、重ね着すれば他が暑いという場合に冷やしてはいけない部分のみに使用する事で、血行が良くなり痛みの緩和に役立つ。
温シップ薬でかぶれる人にもかぶれの対策になる。又取り外しが自由な為、肩、腰、腕、足、腹部、他、温めたい所に安全ピン、マジックテープ等で止めて使用できる。又磁気枕の代用にもなります。
【考案を実施するための最良の形態】
【０００５】取り外しを自由にし、何処にも装着する事が出来るようにする。
【産業上の利用可能性】
【０００６】本考案は冷え対策に関する物で、夏の暑い時期エアコン等で痛む部分冷やしたくない、重ね着すれば他が暑い。という場合に冷やしてはいけない部分に使用する事で、痛みの緩和に役立つ。温シップ薬でかぶれる人にもかぶれの対策にもなる。特に４０  ５０肩で悩んでいる人に肩に当ててもかさばらず、軽く、柔軟性があり汗で張り付くと言う事も無く、痛い部分のみに使用出来る。又取り外しが自由な為、肩、腰、足、腹部、他、必要とする場所に使用可能。磁気を使用しているため磁気枕の代用にもなります。万能に使用できるためコスト面においても助かります。
【図面の簡単な説明】
【０００７】
【図１】山型にカットした綿、もしくは同様の保温効果のある品物に医療用磁気を組み込み柔軟性のある布で包み肌にフィトする様に加工。
【手続補正書】
【提出日】平成17年12月17日(2005.12.17)
【手続補正１】
【補正対象書類名】実用新案登録請求の範囲
【補正対象項目名】全文
【補正方法】変更
【補正の内容】
【実用新案登録請求の範囲】
【請求項１】
（１）山型に裁断した綿、キルト材、羽毛、もしくは同様の保温効果のある品物に磁石を移動しないよう固定し、（２）柔軟性のある布で包み、（１）中と（２）表布を縫い合わせ、どの部分にも使用出来る様に加工した磁気万能マットサポーター。
【手続補正書】
【提出日】平成18年1月19日(2006.1.19)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】カット綿、羽毛、もしくは同様の保温効果のある品物に磁石を組み込み柔軟性のある布で包み肌にフィトする様に加工する。                                  
【考案が解決しようとしている課題】
【０００２】４０，５０肩で肩を冷やせなく夏の暑い時期でも、重ね着しなくて良い対策。従来のサポーターは洋服を着用した際襟元からサポーターが見える為見えない対策。夏の暑い時期は体の締め付けがあり、痒くなってかぶれる人、温湿布薬でかぶれる人の為にかぶれを防ぐ対策をする。一箇所としなく多方面に使用出来る様にする。
【考案を解決するための手段】
【０００３】首、肩のこり、冷え、もしくは腰、腕、足、肩痛みで保温を必要とする部分のみに使用する為、取り外しを自由に、且つ安易に取り付けられる様にする。
【考案の効果】
【０００４】夏の暑い時期エアコン等で痛む部分冷やしたくない、重ね着すれば他が暑いという場合に冷やしてはいけない部分のみに使用する事で、血行が良くなり痛みの緩和に役立つ。温シップ薬でかぶれる人にもかぶれの対策になる。又取り外しが自由な為、肩、腰、腕、足、腹部、他、温めたい所に安全ピン、マジックテープ等で止めて使用できる。又磁気枕の代用にもなります。
【考案を実施するための最良の形態】
【０００５】取り外しを自由にし、何処にも装着する事が出来るようにする。
【産業上の利用可能性】
【０００６】本考案は冷え対策に関する物で、夏の暑い時期エアコン等で痛む部分冷やしたくない、重ね着すれば他が暑い。という場合に冷やしてはいけない部分に使用する事で、痛みの緩和に役立つ。温シップ薬でかぶれる人にもかぶれの対策にもなる。特に４０５０肩で悩んでいる人に肩に当ててもかさばらず、軽く、柔軟性があり汗で張り付くと言う事も無く、痛い部分のみに使用出来る。又取り外しが自由な為、肩、腰、足、腹部、他、必要とする場所に使用可能。磁気を使用しているため磁気枕の代用にもなります。万能に使用できるためコスト面においても助かります。
【図面の簡単な説明】
【０００７】
【図１】山型にカットした綿、もしくは同様の保温効果のある品物に医療用磁気を組み込み柔軟性のある布で包み肌にフィトする様に加工。
【図２】品物を折り曲げた状態。
【図３】洋服に安全ピン、マジックテープ等で装着する。